(57)【特許請求の範囲】
【請求項１】
フィーダハウス内の前部と後部にそれぞれ従動軸と駆動軸を架設して、両軸間に左右一対の搬送用チェンを巻回し、両搬送用チェン間に左右方向に伸延する多数のスラットを、搬送用チェンの円周方向に間隔を開けて横架して搬送用チェンコンベアを構成し、刈り取った穀稈を搬送用チェンコンベアにより脱穀部に搬送するようにしたコンバインにおいて、
駆動軸の外周を筒状の支持体により被覆し、同支持体の外周面上部に板状の穀稈巻き込み防止体の基端部を取り付けると共に、同穀稈巻き込み防止体は、先端部を左右一対の搬送用チェンの戻り側部間にて、両戻り側部に沿わせて前方へ延設し、同先端部を左右一対の搬送用チェンの搬送側部に支持させたことを特徴とするコンバイン。
【請求項２】
穀稈巻き込み防止体の先端部に左右一対の摺らせ体の基端部を取り付けると共に、各摺らせ体は、ソリ状に湾曲させて形成した先端部を、左右一対の搬送用チェンの搬送側部に上方から摺動自在に当接させたことを特徴とする請求項１記載のコンバイン。
【請求項３】
摺らせ体は、弾性力を有するバネ鋼により成形したことを特徴とする請求項２記載のコンバイン。
【発明の詳細な説明】
【技術分野】
【０００１】
本発明は、穀稈の巻き込みを防止したコンバインに関する。
【背景技術】
【０００２】
従来、コンバインの一形態として、刈り取った穀稈をフィーダハウス内に設けた搬送用チェンコンベアにより脱穀部に搬送するようにしたものがある（例えば、特許文献１参照）。
【０００３】
そして、搬送用チェンコンベアは、フィーダハウス内の前部と後部にそれぞれ従動軸と駆動軸を架設すると共に、同駆動軸は原動軸と被同軸とに分けて形成し、さらに、被動軸は中間を切除して形成して、原動軸と被動軸とを駆動用チェンを介して連動連結し、同被動軸と上記従動軸との間に左右一対の搬送用チェンを巻回して、両搬送用チェン間に左右方向に伸延する多数のスラットを、搬送用チェンの円周方向に間隔を開けて横架することにより構成している。
【０００４】
このようにして、各スラットにより穀稈をフィーダハウスの底部に沿わせながら後方の脱穀部へ搬送するようにしている。
【０００５】
この際、被動軸の中間を切除して、戻り稈が被動軸に巻き付くのを防止している。
【特許文献１】特開平８−３１７７１９号公報
【発明の開示】
【発明が解決しようとする課題】
【０００６】
ところが、上記したコンバインでは、駆動軸を原動軸と被同軸とに分けて形成すると共に、被動軸は中間を切除して形成しているために、構造が複雑になって製造コストが高くなるという不具合がある。
【０００７】
しかも、中間を切除した左右一対の被動軸は、それぞれフィーダハウスに強固に片持ち支持させる必要性があるために、この点からも構造が複雑になって製造コストが高くなるという不具合がある。
【課題を解決するための手段】
【０００８】
そこで、本発明では、フィーダハウス内の前部と後部にそれぞれ従動軸と駆動軸を架設して、両軸間に左右一対の搬送用チェンを巻回し、両搬送用チェン間に左右方向に伸延する多数のスラットを、搬送用チェンの円周方向に間隔を開けて横架して搬送用チェンコンベアを構成し、刈り取った穀稈を搬送用チェンコンベアにより脱穀部に搬送するようにしたコンバインにおいて、駆動軸の外周を筒状の支持体により被覆し、同支持体の外周面上部に板状の穀稈巻き込み防止体の基端部を取り付けると共に、同穀稈巻き込み防止体は、先端部を左右一対の搬送用チェンの戻り側部間にて、両戻り側部に沿わせて前方へ延設し、同先端部を左右一対の搬送用チェンの搬送側部に支持させたことを特徴とするコンバインを提供する。
【０００９】
そして、本発明は、以下の構成にも特徴を有する。
【００１０】
穀稈巻き込み防止体の先端部に左右一対の摺らせ体の基端部を取り付けると共に、各摺らせ体は、ソリ状に湾曲させて形成した先端部を、左右一対の搬送用チェンの搬送側部に上方から摺動自在に当接させたこと。
【００１１】
また、摺らせ体は、弾性力を有するバネ鋼により成形したこと。
【発明の効果】
【００１２】
（１）請求項１記載の本発明では、フィーダハウス内の前部と後部にそれぞれ従動軸と駆動軸を架設して、両軸間に左右一対の搬送用チェンを巻回し、両搬送用チェン間に左右方向に伸延する多数のスラットを、搬送用チェンの円周方向に間隔を開けて横架して搬送用チェンコンベアを構成し、刈り取った穀稈を搬送用チェンコンベアにより脱穀部に搬送するようにしたコンバインにおいて、駆動軸の外周を筒状の支持体により被覆し、同支持体の外周面上部に板状の穀稈巻き込み防止体の基端部を取り付けると共に、同穀稈巻き込み防止体は、先端部を左右一対の搬送用チェンの戻り側部間にて、両戻り側部に沿わせて前方へ延設し、同先端部を左右一対の搬送用チェンの搬送側部に支持させている。
【００１３】
このようにして、左右一対の搬送用チェンの戻り側部により穀稈が戻された場合でも、この戻された穀稈（戻り稈）は、筒状の支持体の外周面、さらには、板状の穀稈巻き込み防止体の上面に沿って前方へ戻されるため、駆動軸に戻り稈が巻き付くのを確実に防止することができる。
【００１４】
しかも、穀稈巻き込み防止体の先端部は、左右一対の搬送用チェンの搬送側部に支持させているため、別途にフィーダハウスとの間に、戻り稈の引っ掛かりの原因となる支持部材を設ける必要性がない。
【００１５】
その結果、戻り稈が駆動軸等に巻き付いたり引っ掛って、フィーダハウス内に滞留するのを防止することができて、メンテナンスの回数を削減することができると共に、搬送機能を長期間良好に確保することができる。
【００１６】
（２）請求項２記載の本発明では、穀稈巻き込み防止体の先端部に左右一対の摺らせ体の基端部を取り付けると共に、各摺らせ体は、ソリ状に湾曲させて形成した先端部を、左右一対の搬送用チェンの搬送側部に上方から摺動自在に当接させている。
【００１７】
このようにして、穀稈巻き込み防止体の先端部を左右一対の摺らせ体を介して左右一対の搬送用チェンの搬送側部に支持させているため、構造簡易にして低コストにて穀稈巻き込み防止体を安定状態に支持することができて、同穀稈巻き込み防止体の穀稈巻き込み防止機能を良好に確保することができる。
【００１８】
この際、摺らせ体は、先端部をソリ状に湾曲させて、搬送用チェンの搬送側部に上方から摺動自在に当接させているため、搬送側部の搬送機能を良好に確保することができる。
【００１９】
（３）請求項３記載の本発明では、摺らせ体は、弾性力を有するバネ鋼により成形している。
【００２０】
このようにして、弾性力を有するバネ鋼によりソリ状に湾曲させて形成した摺らせ体を、搬送用チェンの搬送側部に上方から摺動自在に当接させているため、搬送用チェンコンベアの張り側である搬送側部に適度な緊張力を付与することができて、同搬送側部の搬送機能を向上させることができる。
【００２１】
しかも、搬送側部が搬送する穀稈により反力を受けた場合でも、摺らせ体がその反力を吸収することができるため、搬送側部に無理な負荷が作用して、同搬送側部を損傷等するという不具合の発生を防止することができる。
【発明を実施するための最良の形態】
【００２２】
図1及び図２に示すＡは、本発明に係るコンバインであり、同コンバインＡは、走行機体１の前部に刈取部２を取り付けて構成している。
【００２３】
走行機体１は、左右一対のクローラ式の走行部3,3上に機体フレーム４を設け、同機体フレーム４上の左側部に脱穀部５と選別部６と上下に位置させて配設する一方、機体フレーム４の右側部に前方から後方へ向けて運転部７と貯留部８と原動機部９と穀粒搬出オーガ10とを配設している。
【００２４】
脱穀部５は、扱室22内に軸流式のスクリュ形の扱胴11等を前後方向に軸線を向けて横架し、同扱胴11をその軸線廻りに回動させることにより、刈取部２により刈り取られた穀桿を脱穀することができるようにしている。
【００２５】
選別部６は、上記脱穀部５にて脱穀された穀粒を揺動選別する揺動選別体12と、同揺動選別体12により選別された選別物をさらに風選する第１唐箕13及び第２唐箕14と、これらの唐箕13,14により風選された一番穀粒を回収する一番コンベア15及び二番穀粒を回収する二番コンベア16等を具備している。
【００２６】
運転部７は、キャビン17内の前部に操作コラム18を立設し、同操作コラム18の上端部にハンドル19を設け、同ハンドル19の後方に運転席20を配設している。
【００２７】
貯留部８は、前記選別部６に設けた一番コンベア15により回収した一番穀粒を貯留することができるようにしている。
【００２８】
原動機部９は、エンジン21等を搭載して、各構成部、すなわち、刈取部２、走行部3,3、脱穀部５、選別部６、貯留部８、及び、穀粒搬出オーガ10を駆動するようにしている。
【００２９】
穀粒搬出オーガ10は、前記貯留部８内に貯留している一番穀粒を運搬車の荷台等に搬出することができるようにしている。
【００３０】
刈取部２は、前後方向に伸延する四角形筒状のフィーダハウス25の基端部（後端部）を、脱穀部５の前部に左右方向の軸線廻りに回動自在に枢支して、フィーダハウス25を昇降自在となすと共に、同フィーダハウス25の後端に開口させた搬出口部26を脱穀部５の扱室22と連通連結している。
【００３１】
そして、フィーダハウス25の前端に開口させた搬入口部27にプラットフォーム28の右側後部を連通連結し、同プラットフォーム28内に左右方向に軸線を向けた横送りオーガ29を横架し、同横送りオーガ29の前下方に位置するプラットフォーム28の前端縁部に往復駆動型刈刃30を設け、同往復駆動型刈刃30の前方に位置させてプラットフォーム28の左右側壁前端部間にディバイダー31を配置し、同ディバイダー31の上方位置に昇降機構32を介して掻込みリール33を配置している。
【００３２】
また、フィーダハウス25内には、搬送用チェンコンベア35を配設しており、同搬送用チェンコンベア35は、フィーダハウス25内の前部と後部において、同フィーダハウス25の左・右側壁25a,25b間に、それぞれ左右方向に軸線を向けた従動軸36と駆動軸37を架設して、両軸36,37間に左右一対の搬送用チェン38,38を巻回し、両搬送用チェン38,38間に左右方向に伸延する多数のスラット39を、搬送用チェン38,38の円周方向に間隔を開けて横架して構成している。
【００３３】
このようにして、ディバイダー31と掻込みリール33とを協働させて未刈り穀稈をプラットフォーム28側へ掻込み、掻き込んだ未刈り穀稈の株元を往復駆動型刈刃30により刈り取り、刈り取った穀稈を横送りオーガ29により略中央部に横送りすると共に、フィーダハウス25の搬入口部27より同フィーダハウス25内に搬送する。
【００３４】
そして、フィーダハウス25内に搬送された穀稈は、搬送用チェンコンベア35のスラット39によりフィーダハウス25の底部25cに沿わせて後上方へ掻き上げられるようにして摺動され、同フィーダハウス25の搬出口部26より脱穀部５の扱室22内に搬送されるようにしている。
【００３５】
上記のような構成において、本発明の要旨は、図２及び図４に示すように、駆動軸37の外周を円筒状の支持体40により被覆し、同支持体40の外周面上部に四角形板状の穀稈巻き込み防止体41の基端縁部41aを取付ボルト42により取り付けると共に、同穀稈巻き込み防止体41は、先端縁部41bを左右一対の搬送用チェン38,38の戻り側部38a,38a間にて、両戻り側部38a,38aに沿わせて前方へ延設し、同先端縁部41bを左右一対の搬送用チェン38,38の搬送側部38b,38bに支持させたことにある。
【００３６】
そして、穀稈巻き込み防止体41の先端左右側部に、短冊状に形成した左右一対の摺らせ体43,43の基端部43a,43aを取り付けると共に、各摺らせ体43,43は、中途部43b,43bを後下方へ凸状に湾曲させてソリ状に形成して、左右一対の搬送用チェン38,38の搬送側部38b,38bに先端部43c,43cを上方から摺動自在に当接させている。
【００３７】
しかも、左側の摺らせ体43の先端部43cは、左側の搬送用チェン38の搬送側部38bの内側半部上に当接すると共に、右側の摺らせ体43の先端部43cは、右側の搬送用チェン38の搬送側部38bの内側半部上に当接するようにしている。
【００３８】
ここで、摺らせ体43は、弾性力を有するバネ鋼により成形している。
【００３９】
このようにして、左右一対の搬送用チェン38,38の戻り側部38a,38aにより穀稈が戻された場合でも、この戻された穀稈（戻り稈）は、円筒状の支持体40の外周面、さらには、四角形板状の穀稈巻き込み防止体41の上面に沿って前方へ戻されるため、駆動軸37に戻り稈が巻き付くのを確実に防止することができる。
【００４０】
しかも、穀稈巻き込み防止体41の先端縁部41bは、左右一対の搬送用チェン38,38の搬送側部38b,38bに支持させているため、別途にフィーダハウス25との間に、戻り稈の引っ掛かりの原因となる支持部材を設ける必要性がない。
【００４１】
その結果、戻り稈が駆動軸37等に巻き付いたり引っ掛って、フィーダハウス25内に滞留するのを防止することができて、メンテナンスの回数を削減することができると共に、搬送機能を長期間良好に確保することができる。
【００４２】
また、穀稈巻き込み防止体41の先端部を左右一対の摺らせ体43,43を介して左右一対の搬送用チェン38,38の搬送側部38b,38bに支持させているため、構造簡易にして低コストにて穀稈巻き込み防止体41を安定状態に支持することができて、同穀稈巻き込み防止体41の穀稈巻き込み防止機能を良好に確保することができる。
【００４３】
この際、摺らせ体43は、中途部をソリ状に湾曲させて、搬送用チェン38の搬送側部38bに先端部43cを上方から摺動自在に当接させているため、搬送側部38bの搬送機能を良好に確保することができる。
【００４４】
しかも、左側の摺らせ体43の先端部43cは、左側の搬送用チェン38の搬送側部38bの内側半部上に当接すると共に、右側の摺らせ体43の先端部43cは、右側の搬送用チェン38の搬送側部38bの内側半部上に当接するようにしているため、各摺らせ体43,43の先端部43c,43cと搬送側部38b,38bとの当接面積を可吸的に小さくして、各摺らせ体43,43による穀稈巻き込み防止体41の安定支持を良好に確保したまま、各摺らせ体43,43が搬送用チェン38,38の回動抵抗とならないようにしている。
【００４５】
また、弾性力を有するバネ鋼によりソリ状に湾曲させて形成した摺らせ体43を、搬送用チェン38の搬送側部38bに上方から摺動自在に当接させているため、搬送用チェンコンベア35の張り側である搬送側部38bに適度な緊張力を付与することができて、同搬送側部38bの搬送機能を向上させることができる。
【００４６】
この際、搬送側部38bが搬送する穀稈により反力を受けた場合でも、摺らせ体43がその反力を吸収することができるため、搬送側部38bに無理な負荷が作用して、同搬送側部38bを損傷等するという不具合の発生を防止することができる。
【図面の簡単な説明】
【００４７】
【図１】本発明に係るコンバインの側面説明図。
【図２】同コンバインの平面説明図。
【図３】フィーダハウスの後半部の断面側面説明図。
【図４】同フィーダハウスの後半部の断面平面説明図。
【符号の説明】
【００４８】
５  脱穀部
25  フィーダハウス
35  搬送用チェンコンベア
36  従動軸
37  駆動軸
38,38  搬送用チェン
38a,38a  戻り側部
38b,38b  搬送側部
39  スラット
40  支持体
41  穀稈巻き込み防止体
43,43  摺らせ体
43a,43a  基端部
43c,43c  先端部
Ａ  コンバイン
【図１】
0004713375.tif 000002
【図２】
0004713375.tif 000003
【図３】
0004713375.tif 000004
【図４】
0004713375.tif 000005